(57)【特許請求の範囲】
【請求項１】
パラペットを有する建物の外壁を改修する構造において、軸体と、ワッシャ部、外面にネジ山を有するネジ部、工具の打ち込み部と合致する形状の保持部を形成した頭部からなり、軸体が既存外壁を貫通して下地材に打ち込まれる固定具と、固定具のネジ部と合致するネジ部を有し外方に平滑面を有する取付キャップと、取付キャップの平滑面に取り付けられる横胴縁と、相対する横胴縁を垂直に接続するように横胴縁に取り付けられた縦胴縁と、縦胴縁、横胴縁のうち少なくとも一方に固定して既存外壁を覆う新規外壁材と、既存パラペットの少なくとも頭部を覆う笠木とから構成し、平滑面の位置は取付キャップを回転させることによって内外方に調整可能であり、笠木はパラペットの少なくとも頭部を覆いつつパラペットに固定し、既存外壁の最上部に位置する横胴縁は笠木に固定されていることを特徴とする外壁改修構造。
【発明の詳細な説明】
【０００１】
【発明の属する技術分野】
本発明は建築、構築物の既存外壁面、特にパラペットを有する建物のＡＬＣ部材（軽量気泡コンクリート）を中心とした既存外壁面を新規外壁で改修するための工法に関するものである。さらに詳しくは、新規の乾式壁材を取り付けるための固定具を確実に建物の躯体（下地材）に直接固定することによって、ＡＬＣ外壁に損傷を与えず、しかも、新規外壁材の取付強度も充分な外壁改修構造に関するものである。
【０００２】
【従来の技術】
従来、ＡＬＣ部材を使用した外壁の改修は、古くなった既存のＡＬＣ外壁をすべて撤去して、既存の躯体や胴縁等の壁下地材に新規外壁を形成する工法や、ＡＬＣ外壁面に直接新規の乾式壁材を当接して、乾式壁材をコンクリートアンカー等の固定具を用いて、ＡＬＣ壁そのものを壁下地材として利用して改修した工法が一般的に知られている。
【０００３】
【発明が解決しようとする課題】
しかしながら、上記のように古くなった既存のＡＬＣ等の外壁をすべて撤去して、既存の躯体や胴縁等の壁下地材に新規外壁を形成した工法では、撤去のための費用の増大や撤去した廃材の処理に課題があると共に、工事中は外壁が無い状態となり、工事期間中は建物内部を利用することができなくなる課題があった。
【０００４】
また、ＡＬＣ外壁をそのまま壁下地材として利用し、新規外壁材を施工する工法では、そもそも古くなったＡＬＣ外壁は、その性質により凍害や経時変化で、ひび割れや一部脱落、強度劣化が進んでおり、これを壁下地として利用することは、取り付けられた新規壁材の取り付け強度に問題が有り、台風や地震等の外的衝撃により脱落したり、剥がれたりする危険を伴っていた。さらに、ＡＬＣ外壁の表面には凹凸があり、そのまま新規外壁を施工すると凹凸による不陸調整が困難で、張り上がった新規壁面にも凹凸が発生し、美観性にも劣るものであった。さらに、パラペットは笠木等によって覆われるのみであって、パラペットを改修外壁の強度の向上に活用する技術思想が存在しなかった。
【０００５】
【課題を解決するための手段】
本発明はこのような欠点を除去するため、パラペットを有する建物の外壁を改修する構造において、軸体と、ワッシャ部、外面にネジ山を有するネジ部、工具の打ち込み部と合致する形状の保持部を形成した頭部からなり、軸体が既存外壁を貫通して下地材に打ち込まれる固定具と、固定具のネジ部と合致するネジ部を有し外方に平滑面を有する取付キャップと、取付キャップの平滑面に取り付けられる横胴縁と、相対する横胴縁を垂直に接続するように横胴縁に取り付けられた縦胴縁と、縦胴縁、横胴縁のうち少なくとも一方に固定して既存外壁を覆う新規外壁材と、既存パラペットの少なくとも頭部を覆う笠木とから構成し、平滑面の位置は取付キャップを回転させることによって内外方に調整可能であり、笠木はパラペットの少なくとも頭部を覆いつつパラペットに固定し、既存外壁の最上部に位置する横胴縁は笠木に固定されている外壁改修構造を提案する。
【０００６】
【発明の実施の形態】
以下に、図面を用いて本発明に係る外壁改修構造について詳細に説明する。図１〜図４は本発明の外壁改修構造を用いて既存のＡＬＣ壁を改修した構造の一実施例を示すものであり、改修を施す建物ＡはパラペットＥを有するものである。なお、図１は改修を施した建物Ａの全体図、図２はパラペットＥ近傍の拡大図、図３、４は既存外壁Ｄの中間部の拡大図であり、Ｂは改修外壁、Ｃは下地材、Ｆは固定具、Ｇは取付キャップ、Ｈは横胴縁、Ｉは縦胴縁、Ｊは連結具、Ｋは笠木、Ｌは笠木取付具、Ｍは新規外壁材である。
【０００７】
笠木取付材Ｌは、例えば図５（ａ）に示すような形状を有するもので、パラペットＥの頭部に取り付けられ、笠木Ｋを取り付ける下地材として機能するものである。笠木取付材Ｌは、挟持片１、２をパラペットＥの側面に当接しつつ挟持し、図示しない固定具や金具を用いてパラペットＥに強固に取り付けられる。
【０００８】
笠木Ｋは、例えば図５（ｂ）に示すような形状を有し、笠木取付材Ｌと一体化して取り付けられ、パラペットＥの少なくとも頭部を被覆するものであり、ガイド片３、４を挟持片１、２に当接しつつ図示しない固定具等を用いて固定される。なお、ガイド片３には溶接、接着、固定具等の使用によって、既存外壁Ｄの最上部に位置する横胴縁Ｈが取り付けられるものである。
【０００９】
下地材Ｃは、建物の躯体および既存外壁Ｄの取り付け下地となるもので、図示するような水平方向に配置された横架材からなり、さらに具体的にはＨ型鋼材、もしくは図示しないが角型鋼材、Ｃ型鋼材（リップ溝型鋼材）、Ｌ字アングル材、溝型鋼材等の鉄骨の下地材、もしくは木質の柱材等からなるものである。
【００１０】
既存外壁Ｄは、Ｈ型鋼材等からなる下地材Ｃにアングルａ、タテカベプレートｂを介して固定されているものである。なお、図２は改修時期にきている一般的な挿入筋工法にて取り付けられているＡＬＣ外壁の例を示しており、この他にも既存外壁Ｄの取り付け方は種々あり、これに限定されるものではない。また、ｃは既存外壁Ｄの目地部に充填される充填目地材である。
【００１１】
固定具Ｆは、素材としては強度に優れた各種鋼材や、鉄、ステンレス、アルミニウム、チタン、繊維強化された各種合成樹脂等からなるもので、例えば図６（ａ）に示すように軸体１１の先端部と頭部１４の近傍にネジ部１２、１３を形成し、また頭部１４には内方から順にワッシャ部１５、保持部１６、ネジ部１７を有する構成のものを使用する。ワッシャ部１５は既存外壁Ｄに当接する部分で保持部１６、ネジ部１７と一体化していても分離していても良いもので、ワッシャ部１５を既存外壁Ｄの表面に当接しつつネジ部１２を下地材Ｃに到達させることによって、固定具Ｆを強固に固定する。保持部１６はワッシャ部１５の外方に形成し固定具Ｆを打ち込む際に、工具の打ち込み部と合致する形状に形成するものであり、ワッシャ部１５の径以下の径を有するもので、ここでは六角ナット状に形成したものを使用する。ネジ部１７は保持部１６の外方に形成し、保持部１６の径以下の有するもので、取付キャップＧに形成したネジ部１８とねじ結合する部分であり、その内部を空洞化することができる。
【００１２】
固定具Ｆの取り付けピッチとしては、新規外壁材Ｍに必要充分な取付強度（耐風圧強度）を満たす範囲内であれば任意で、例えば、水平方向のピッチは６００、９００、１２００、１５００ｍｍ位、垂直方向のピッチは、建物の種類によっても異なるが、一般的には１階層分の高さ３５００ｍｍ位である。
【００１３】
取付キャップＧは、例えば図６（ｂ）、（ｃ）に示すような短尺筒状の形状のものを使用する。すなわち、取付キャップＧの内面にはネジ部１７とネジ結合する形状のネジ部１８を形成し、また外方には横胴縁Ｈを取り付ける面である平滑面１９を形成する。固定具Ｆと取付キャップＧは、図３（ｄ）に示すようにネジ部１７と、ネジ部１８（図示せず）を合致させ、取付キャップＧを回転させることで平滑面１９の内外方についての位置を調整することができる。なお、既存外壁Ｄと横胴縁Ｈ縦胴縁Ｉの間には、少なくともワッシャ部１５、保持部１６、取付キャップＧの厚さを合わせた分の幅を有する通気空間２１が確保される。
【００１４】
図７（ａ）は、横胴縁Ｈ、縦胴縁Ｉの一例を示すものである。横胴縁Ｈは、平滑面１９上に水平方向に取り付けられ、新規外壁材Ｍを取り付ける下地として機能するもので、断面略四角形の長尺体であり、図７（ｂ）に示すような略Ｌ字状の連結材Ｊを用いて縦胴縁Ｉと連結される。
【００１５】
図８は、新規外壁材Ｍの一例を示すものである。すなわち、新規外壁材Ｍは、表面材３３と裏面材３４によって芯材３５をサンドイッチした構造であり、その上下端にはそれぞれ嵌合可能な形状の雄型連結部３１、雌型連結部３２を形成するものである。新規外壁材Ｍを、各雄型連結部３１と雌型連結部３２を係合しつつ上下に連続して配することで既存外壁Ｄの全面を覆い隠し、美観の良い改修外壁Ａを完成させるものである。
【００１６】
表面材３３は金属板、例えば鉄、アルミニウム、銅、ステンレス、チタン、アルミ・亜鉛合金メッキ鋼板、ホーロー鋼板の一種（勿論、これらを各種色調に
塗装したカラー板も含む）や、プラスチック薄板、ＦＲＰ、塩化ビニル、ポリカーボネイト等の合成樹脂板等からなるもの、およびこれらを組み合わせたものであり、これらの一種以上をロール成形、プレス成形、押出成形等によって形成したものである。雄型連結部３１、雌型連結部３２は、表面材３３の上下端をそれぞれ嵌合可能な形状に形成したものである。
【００１７】
裏面材３４はアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるもの、もしくは表面材３３と同様の材質からなるものである。
【００１８】
芯材３５は新規外壁材Ｇに断熱性及び防、耐火性を有させるものであり、ポリウレタンフォーム、ポリイソシアヌレートフォーム、フェノールフォーム、塩化ビニルフォーム、ポリエチレンフォーム、ポリスチレンフォーム、ユリアフォーム等からなるものである。芯材３５を有する新規外壁材Ｍを既存外壁Ｄの全表面に配することにより、改修外壁Ｂの外観を美しく仕上げるのはもとより、断熱性、及び防、耐火性を向上させることができる。
【００１９】
以下に、改修外壁Ｂを形成する工程について説明する。まず図９のように、所定の工具を用いて固定具Ｆの軸体１１を既存外壁Ｄを貫通させつつネジ部１２の範囲を下地材Ｃまで到達させ、かつワッシャ部１５を既存外壁Ｄの表面に当接させるように固定する。なお、固定具Ｆの打ち込みは、保持部１６を工具の打ち込み部と合致させて行う。
【００２０】
次に図１０に示すように、ネジ部１７とネジ部１８をネジ結合して回転させることで、取付キャップＧを既存外壁Ｄの表面側に取り付ける。ネジ部１７とネジ部１８をネジ結合としたことで、取付キャップＧを回転させることにより平滑面１９の位置を内外方向へ移動ができ、ＡＬＣ外壁の厚みの違いへの対応や不陸の調整も可能となり、新規外壁の張り上がりの美観性を向上させることができる。
【００２１】
次に図１１に示すように、平滑面１９上に横胴縁Ｈの一面を当接しつつ固定具α（ヘクス、テクス、スクリュウビス等）を打ち込むことにより、横胴縁Ｈを固定する。なお、既存外壁Ｄの最上部に位置し、パラペットＥに笠木取付具Ｌを介して固定した笠木Ｋの取付面３取り付けられる横胴縁Ｈの表面と、平滑面１９に取り付けた横胴縁Ｈの表面は、同一平面に揃えるように調整する。
【００２２】
次に図１２に示すように、連結材Ｊを横胴縁Ｈ、縦胴縁Ｉの両者に当接しつつ固定具βを打ち込むことにより、横胴縁Ｈと縦胴縁Ｉを連結する。縦胴縁Ｉを、笠木と一体に取り付けた横胴縁Ｈに固定することにより、建物Ａ全体と改修外壁Ｂの耐震性、強度をより向上させることができる。
【００２３】
次に図１３に示すように、新規外壁材Ｍを縦胴縁Ｉの表面側に、固定具γによって固定し、下方から上方に雄型連結部３１と雌型連結部３２を係合しつつ貼り合わせていくことによって、図３に示すような改修外壁Ｂを形成するものである。
【００２４】
以上説明したのは、本発明にかかる外壁改修構造の一実施例であり、図１４〜図２２に示すような構成を採ったり、部材を用いたりすることができる。図１４〜１６は固定具Ｆの頭部４よりも径がやや大きく、ワッシャ部５から保持部７まで納まる程度の深さを有する溝部２７を既存外壁Ｄに穿設し、横胴縁Ｈの一面を平滑面９と既存外壁Ｄの表面の両方に当接しつつ取り付ける例である。溝部２７を穿設した場合、既存外壁Ｄと新規外壁材Ｍの距離は小さくなり、通気空間２１の幅としては横胴縁Ｈの厚みの分だけ確保される。なお、既存外壁Ｄの最上部に位置する横胴縁Ｈは、図１４に示すように笠木Ｋと既存外壁Ｄの両者に当接する。
【００２５】
図１７、１８は、固定具Ｆの軸体１１を打ち込むための下孔２８を設けた改修外壁Ｂの例である。軸体１１の径よりも若干大きい径を有する下孔２８をホールソー等によって穿設することで、固定具Ｆによって既存外壁Ｄを打ち抜く必要がなく、打ち込みを容易ならしめることができる。
【００２６】
図１９（ａ）〜（ｅ）は、固定具Ｆと取付キャップＧの変形例であり、図１９（ａ）は、ネジ部１７、ネジ部１８の径を小さく形成した例である。図１９（ｂ）はネジ部１７を内側に、ネジ部１８を外側に形成した例である。図１９（ｃ）は頭部１４の内方から順にワッシャ１５、ネジ部１７、保持部１６を形成し、またキャップ材Ｅの奥行きを大きく形成してネジ部１８を内方寄りに形成することでネジ結合するようにした例である。図１９（ｄ）は、ワッシャ１５とネジ部１７の径を同一化（一体化）し、ネジ部１７とネジ結合し得る大きさの径にキャップ材Ｅのネジ部１８を形成した例である。図１９（ｅ）は保持部１６の内部にネジ部１７を形成し、ネジ部１８とネジ結合するようにした例である。
【００２７】
図２０（ａ）〜（ｊ）に示す例は、平滑面１９の形状の変形例である。平滑面１９を変形することにより、横胴縁Ｈの取り付けが容易になるのみならず、取付キャップＥを回転させやすくなり、平滑面１９の不陸調整が容易になるものである。
【００２８】
図２１（ａ）〜（ｊ）は、横胴縁Ｈ、縦胴縁Ｉの変形例を断面図で示したものであり、４１は既存外壁Ｄの表面に当接、固定される固定面、４２は新規外壁材Ｍを取り付ける取付面を示している。横胴縁Ｈ、縦胴縁Ｉを変形することにより、既存外壁Ｄ面への取り付けが容易になるのみならず、新規外壁材Ｍの取り付けも容易ならしめることができる。
【００２９】
図２２は、長尺体である芯体４３と、同じく長尺体であるカバー体４４とを一体化し、カバー体４４に設けた係止片４５により芯体４３の内部に保持するようにして横胴縁Ｈ、縦胴縁Ｉを形成したことにより、横胴縁Ｈ、縦胴縁Ｉの取付キャップＧへの固着を強固に行うことができるのみならず、新規外壁材Ｍの固定をも強固ならしめることができる。なお図示しないが、芯体４３とカバー体４４の固着は、エアガン、接着剤等を用いて行うことができる。
【００３０】
【発明の効果】
以上説明したように本発明に係る外壁改修構造によれば、▲１▼既存外壁を解体する必要がないので、施工工数を省略できると共に、工期を大幅に短縮することができ、しかも施工中の居住や利用に何等支障を来さない。▲２▼既存外壁上に新規外壁を形成するので、施工が簡単でコストを節約できる。▲３▼既存外壁と新規外壁材との２重壁工法となり、断熱性、防音性、防火性に富む工法となる。▲４▼固定具と取付キャップをネジ結合とし、伸縮機能を持たせることで、下地材の不陸の調整が容易に行え、施工が容易となると共に、新規外壁材の張り上がりの美観性が向上する。▲５▼縦胴縁を、笠木と一体に取り付けた横胴縁に固定することにより、建物全体と改修外壁の耐震性、強度をより向上させることができる。等の特徴、効果がある。
【図面の簡単な説明】
【図１】本発明に係る外壁改修構造の全体図である。
【図２】本発明に係る外壁改修構造の代表例の部分拡大図である。
【図３】本発明に係る外壁改修構造の代表例の部分拡大図である。
【図４】本発明に係る外壁改修構造の代表例の部分拡大断面図である。
【図５】笠木取付具と笠木の説明図である。
【図６】固定具と取付キャップの説明図である。
【図７】横胴縁、縦胴縁、連結材の説明図である。
【図８】新規外壁材の説明図である。
【図９】本発明に係る外壁改修構造の改修手順を示す説明図である。
【図１０】本発明に係る外壁改修構造の改修手順を示す説明図である。
【図１１】本発明に係る外壁改修構造の改修手順を示す説明図である。
【図１２】本発明に係る外壁改修構造の改修手順を示す説明図である。
【図１３】本発明に係る外壁改修構造の改修手順を示す説明図である。
【図１４】本発明に係る外壁改修構造のその他の例である。
【図１５】本発明に係る外壁改修構造のその他の例である。
【図１６】本発明に係る外壁改修構造のその他の例である。
【図１７】本発明に係る外壁改修構造のその他の例である。
【図１８】本発明に係る外壁改修構造のその他の例である。
【図１９】固定具と取付キャップのその他の例である。
【図２０】取付キャップの平滑面のその他の例である。
【図２１】横胴縁、縦胴縁のその他の例である。
【図２２】横胴縁、縦胴縁のその他の例である。
【符号の説明】
α  固定具
β  固定具
γ  固定具
ａ  アングル
ｂ  タテカベプレート
ｃ  充填目地材
Ａ  建物
Ｂ  改修外壁
Ｃ  下地材
Ｄ  既存外壁
Ｅ  パラペット
Ｆ  固定具
Ｇ  取付キャップ
Ｈ  横胴縁
Ｉ  縦胴縁
Ｊ  連結材
Ｋ  笠木
Ｌ  笠木取付具
Ｍ  新規外壁材
１  挟持片
２  挟持片
３  ガイド片
４  ガイド片
１１  軸体
１２  ネジ部
１３  ネジ部
１４  頭部
１５  ワッシャ部
１６  保持部
１７  ネジ部
１８  ネジ部
１９  平滑面
２１  通気空間
２２  固定面
２３  取付面
２４  芯材
２５  カバー体
２６  係止片
２７  溝部
２８  下孔
３１  雄型連結部
３２  雌型連結部
３３  表面材
３４  裏面材
３５  芯材
４１  固定面
４２  取付面
４３  芯体
４４  カバー体
４５  係止片
【図１】
0004155682.tif 000002
【図２】
0004155682.tif 000003
【図３】
0004155682.tif 000004
【図４】
0004155682.tif 000005
【図５】
0004155682.tif 000006
【図６】
0004155682.tif 000007
【図７】
0004155682.tif 000008
【図８】
0004155682.tif 000009
【図９】
0004155682.tif 000010
【図１０】
0004155682.tif 000011
【図１１】
0004155682.tif 000012
【図１２】
0004155682.tif 000013
【図１３】
0004155682.tif 000014
【図１４】
0004155682.tif 000015
【図１５】
0004155682.tif 000016
【図１６】
0004155682.tif 000017
【図１７】
0004155682.tif 000018
【図１８】
0004155682.tif 000019
【図１９】
0004155682.tif 000020
【図２０】
0004155682.tif 000021
【図２１】
0004155682.tif 000022
【図２２】
0004155682.tif 000023